(57)【要約】【課題】単材を削って真っ直ぐなビリヤード用バットを作っても、月日が経つとともに曲がりが出やすく、狂いが生じる課題があった。【解決手段】先部分３と後部分２との少なくとも２部材を組み合わせて成り、一方の部材２に円断面の中央に本体部分２０から長手方向に突出した挿入部分２１を他方の部材３の長さに略近い長さで形成し、かつ挿入部分２１の基部に雄ネジ２２を形成し、他方の部材３の端面の円断面中央部分に開口３２する被挿入孔３０を一方の部材２の挿入部分２１の長さに対応する長さで形成し、かつ被挿入孔３０の一部で雄ネジ２２に対応する位置に雌ネジ３１を形成し、挿入部分２１を被挿入孔３０へ挿入するとともに雄ネジ２２と雌ネジ３１を螺合させて２部材を嵌合してなるビリヤード用キューのバット１による。【選択図】  図３
2007209393.tif 000002
【特許請求の範囲】
【請求項１】
シャフトとバットを接続して成るビリヤード用キューのバットであり、先部分と後部分との少なくとも２部材を組み合わせて成り、一方の部材に円断面の中央に本体部分から長手方向に突出した挿入部分を形成し、かつ挿入部分に雄ネジを形成し、他方の部材の端面の円断面中央部分に開口する被挿入孔を形成し被挿入孔に雄ネジに対応する位置に雌ネジを形成し、挿入部分を被挿入孔へ挿入するとともに雄ネジと雌ネジを螺合させて２部材を嵌合してバットを形成することを特徴とするビリヤード用キューのバット。
【請求項２】
シャフトとバットを接続して成るビリヤード用キューのバットであり、先部分と後部分との少なくとも２部材を組み合わせて成り、一方の部材に円断面の中央に本体部分から長手方向に突出した挿入部分を他方の部材の長さに略近い長さで形成し、かつ挿入部分の基部に雄ネジを形成し、他方の部材の端面の円断面中央部分に開口する被挿入孔を一方の部材の挿入部分の長さに対応する長さで形成し、かつ被挿入孔の一部で雄ネジに対応する位置に雌ネジを形成し、挿入部分を被挿入孔へ挿入するとともに雄ネジと雌ネジを螺合させて２部材を嵌合してバットを形成することを特徴とするビリヤード用キューのバット。
【請求項３】
一方の部材と他方の部材が異なる性質の木材である請求項１又は請求項２に記載のビリヤード用キューのバット。
【請求項４】
一方の部材の本体部分が、円断面中央に異なる性質の芯材を設けた請求項１又は請求項２又は請求項３に記載のビリヤード用キューのバット。
【請求項５】
挿入部分と被挿入孔とが接着剤によって固定される請求項１又は請求項２又は請求項３又は請求項４に記載のビリヤード用キューのバット。
【発明の詳細な説明】
【技術分野】
【０００１】
この発明は、シャフトとバットを接続して成るビリヤード用キューのバットに関する。
【背景技術】
【０００２】
ビリヤード用キューのバットは、ビリヤードキューの後端側に位置して、先端側のシャフトと着脱可能に接続する構造を有し、プレーヤーが手で握ってキューをコントロールする部分である。
【０００３】
従来のビリヤード用キューのバットは、外表面がテーパ状の緩い傾斜の円錐台状棒状体であり、その素材は、単材或いは複数材を組み合わせて加工された木製のものがほとんどである。また中空構造や多層からなる構造のキューも知られているが、主に木製の素材の異なるタイプを多層に加工して形成されていた。
【０００４】
本願出願人は、ビリヤード用キューに関して、木製という同一の素材を多層構造にしたものを、特開２００１−０７０４９９号公報（特願平１１−２５１７９９号：先行技術１）により提案しており、また異なる素材の多層構造としては特開２００１−１９８２５６号公報（特願２０００−１０９７９号：先行技術２）として出願されている。更に、本願出願人は、特開２００１−３４６９３２号公報（特願２０００−１７３８９８号：先行技術３）により中空部を有するビリヤード用キューを提案している。更にまた、本願出願人は、特開２００４−１０５６５８号公報（特願２００２−２７６１８３号：先行技術４）により、改良された多層構造のビリヤード用キュースティックを提案している。
【０００５】
先行技術１によって本願出願人は、「キューのバット部および／またはシャフト部が、中芯材と、中芯材の周囲に設けられた周囲材とからなることを特徴とするビリヤード用キュー」を開示している。
【０００６】
また、先行技術２には、「ビリヤード用キューのシャフトおよび／またはバットが、棒中心部から外周表面層へ異なる素材からなる多層構造を有する棒状体からなり、多層構造の中心に貫通孔を設けたビリヤード用キュー」が開示されている。
【０００７】
更に、先行技術４には、「シャフトとバットが多層構造であり、シャフトが、中心から周囲方向へ複数層で、中心層が発泡プラスチック素材等の軽量部材からなり、外周層が硬質部材からなり、中心層と外周層との間に接着性及び弾力性を有する接着性弾性部材を設けている棒状体であるとともに、バットが、中心から周囲方向へ複数層で、中心層及び外周層が硬質部材からなり、中心層と外周層との間に接着性及び弾力性を有する接着性弾性部材を設けている棒状体であることを特徴とするビリヤード用キュースティック」や「シャフトとバットが多層構造からなるとともに、シャフトの多層構造とバットの多層構造が互いに異なり、シャフトが、中心から周囲方向へ複数層で、中心層が発泡プラスチック素材等の軽量部材からなり、中心層の外周側に強化筒部を設け、外周層が硬質部材からなり、強化筒部と外周層との間に接着性及び弾力性を有する接着性弾性部材を設けて接着してなる棒状体であるとともに、バットが、中心から周囲方向へ複数層で、中心層及び外周層が硬質部材からなり、中心層の外周面に強化筒部を設け、強化筒部と外周層との間に接着性及び弾力性を有する接着性弾性部材を設けて強化筒部と外周層を接着してなる棒状体であることを特徴とするビリヤード用キュースティック」が開示されている。
【特許文献１】特開２００１−０７０４９９号公報
【特許文献２】特開２００１−１９８２５６号公報
【特許文献３】特開２００１−３４６９３２号公報
【特許文献４】特開２００４−１０５６５８号公報
【発明の開示】
【発明が解決しようとする課題】
【０００８】
単材、あるいは単素材からなる多層構造、あるいは異なる素材からなる多層構造や、中空を有する構造のビリヤード用キュースティックは、それぞれ課題があった。一つの種類の木材、すなわち単材を削って真っ直ぐなビリヤード用バットを作っても、月日が経つとともに曲がりが出やすく、狂いが生じる課題があった。
【０００９】
また、木材の性質には、その樹種によって硬い柔らかい、重い軽い、もろい粘りがあり、単材でビリヤード用キュースティックを形成した場合、木の種類が異なると反発力や性質が違ってしまい一定のビリヤード用キュースティックが作れない課題があった。更に同じ種類の単材を使う場合も柾目方向と板目方向とのしなりと反発の違いがでて、ショットが安定しにくい課題があった。
【００１０】
また、多層構造のキュースティックでは、一般的に初心者や初級者、中級者の場合、キューがボールの中心から少しでも外れてヒットしたときに、ボールに与える変化が大きくなり、ボールコントロールが難しい課題があった。そのため、ゲームを面白く楽しむためには、多くの時間と努力を必要としていた。
【００１１】
更に、従来の多層構造のビリヤード用キューのバット部分は、強い圧力が掛かった場合、強度が弱く折れたり傷み易い課題があった。
【課題を解決するための手段】
【００１２】
上記課題を解決するために、シャフトとバットを接続して成るビリヤード用キューのバットであり、先部分と後部分との少なくとも２部材を組み合わせて成り、一方の部材に円断面の中央に本体部分から長手方向に突出した挿入部分を形成し、かつ挿入部分に雄ネジを形成し、他方の部材の端面の円断面中央部分に開口する被挿入孔を形成し被挿入孔に雄ネジに対応する位置に雌ネジを形成し、挿入部分を被挿入孔へ挿入するとともに雄ネジと雌ネジを螺合させて２部材を嵌合してバットを形成することを特徴とするビリヤード用キューのバットを提案する。
【００１３】
又、シャフトとバットを接続して成るビリヤード用キューのバットであり、先部分と後部分との少なくとも２部材を組み合わせて成り、一方の部材に円断面の中央に本体部分から長手方向に突出した挿入部分を他方の部材の長さに略近い長さで形成し、かつ挿入部分の基部に雄ネジを形成し、他方の部材の端面の円断面中央部分に開口する被挿入孔を一方の部材の挿入部分の長さに対応する長さで形成し、かつ被挿入孔の一部で雄ネジに対応する位置に雌ネジを形成し、挿入部分を被挿入孔へ挿入するとともに雄ネジと雌ネジを螺合させて２部材を嵌合してバットを形成することを特徴とするビリヤード用キューのバットを提案する。
【００１４】
更に、上記００１１欄又は００１２欄記載のビリヤード用キューのバットにおいて、一方の部材と他方の部材が異なる性質の木材であるビリヤード用キューのバットを提案する。
【００１５】
また、一方の部材の本体部分が、円断面中央に異なる性質の芯材を設けた００１１欄又は００１２欄又は００１３欄に記載のビリヤード用キューのバット、更に挿入部分と被挿入孔とが接着剤によって固定される００１１欄又は００１２欄又は００１３欄又はこの欄に記載のビリヤード用キューのバットを提案する。
【発明の効果】
【００１６】
この発明によれば、上記のように構成されたため、少なくとも２部材からなり一方の部材の挿入部分を他方の部材の被挿入孔に雄ネジ雌ネジによって螺合して嵌合するため、木同士の内周面と外周面が周面で接しているため、縦方向の他横方向にも強度が増強した。更に２部材が異なる性質の木材であると、硬さの硬い木材と軟い木材の組合わせや、重量の軽い木材と重い木材との組合わせなどにより、様々な性質のビリヤード用キューのバットを作ることができる。
【００１７】
また、請求項３のビリヤード用キューのバットのように、一方の部材の本体部分の円断面中央に芯材を設けることによって構造的な強靱さを付加することができる。更に又、挿入部分と被挿入孔とが接着剤によって固定されることによって雄ネジ雌ネジによる螺合に加え周面同士が接着固定されるため、縦方向の他横方向にも強度が更に向上する。
【発明を実施するための最良の形態】
【００１８】
この発明について、実施形態を示すビリヤード用キューのバットの一方の部材の正面説明図である図１、同じく他方の部材の正面説明図である図２、一方の部材と他方の部材を組み合わせた状態の正面説明図である図３、図３にジョイント部等を設けたビリヤード用キューのバットの完成正面図である図４、ビリヤード用キューのバットの一方の部材の本体部分に設ける芯材を斜め後方から見た説明図である図５乃至図７に基づいて説明する。
【００１９】
ビリヤード用キューのバット１は、図４に示すように図示しないシャフトと接続するジョイント部１０へ行くにしたがって細くなる棒状体であり、後端はバットエンド部１１である。
【００２０】
ビリヤード用キューのバット１について説明する。ビリヤード用キューのバット１は、先部分３と後部分２との少なくとも２部材を組み合わせて成り、その全長は約７００ｍｍ〜７５０ｍｍである。この実施形態では後部分２が挿入部分２０を有する一方の部材２であり、先部分３が被挿入孔３０を有する他方の部材３であり、互いに異なる性質の木材からなる。図示しない他の実施形態としては、先部分３が挿入部分を有する一方の部材であり、後部分２が被挿入孔を有する他方の部材である構成でもよい。バット１は、先部分３の先端側に図示しないシャフトとの接続部であるジョイント部１０を設け、後部分２の後端部にバットエンド部１１を設ける。更に別の実施形態としては、３部材以上の部材をバット１の長手方向に組み合わして形成してもよい。
【００２１】
この実施形態では、一方の部材である後部分２の本体部分２０がほぼバット全長の後ろ半分の長さであり、本体部分の全長は約３５０ｍｍ〜４５０ｍｍで、外径は前部から後部に掛けて約２６ｍｍ〜３３ｍｍである。後部分２の本体部分２０の先端面から前方に向かって円断面中央に挿入部分２１を突出させている。本体部分２０と挿入部分２１は、一体的に固定されて構成されている。
【００２２】
本体部分２０は、円断面中央に異なる性質の芯材４と芯材１の外周を被覆する外層部材２００からなる。芯材４は、この実施例では本体部分２０の全長に亘って設けられているが、他の実施例では全長より短くてもよい。芯材４は、通常本体部分２０の外層部材２００の素材より硬い素材の木材、金属又は硬質合成樹脂材等からなる。芯材４の形状は、図５乃至図７に示すように円柱状、八角柱状、四角柱状等があるが、これ以外の形状でもよい。又外層部材２００の素材は、周面方向に複数組み合わされ接着固定された多種の木材からなり、様々な性質の木材をこの実施例では周面方向に４分割された複数種の木材を組み合わせて成る。
【００２３】
挿入部分２１は、木材で形成され本体部分２０の先端面の円断面の中央部分に長手方向に突出し、先部分３である他方の部材３の長さに略近い長さで形成される。挿入部分２１の長さは、この実施形態では約３００ｍｍ〜３３０ｍｍであり、その外径は１５ｍｍ〜２０ｍｍである。挿入部分２１は、本体部分２０側の基部に雄ネジ２２を形成する。雄ネジ２２の外径は約２６ｍｍ〜２８ｍｍ程度であり、雄ネジ２２の長さは挿入部分２１の１０％〜５０％程度の長さである。挿入部分２１は、本体部分２０と一体的に固定されて形成されるが、挿入部分２１と芯材４とを同一の一本の素材で形成してもよい。
【００２４】
先部分３である他方の部材３は、単材又は複数の異なる種類の後端面の円断面の中央部分に開口する被挿入孔３０を一方の部材２の挿入部分２１の長さに対応する長さで形成される。被挿入孔３０には、後部開口３２付近で雄ネジ２２に対応する位置、長さで雌ネジ３１を形成する。
【００２５】
この発明の実施形態のバット１の一方部材２の挿入部分２０の外周面には接着剤を塗布して、挿入部分２０を他方の部材３の開口３２から被挿入孔３０に挿入する。挿入部分２０の外形状（外径、長さ等）と被挿入孔３０の内形状（内径、長さ等）は、対応しているとともに雄ネジ２２と、この雄ネジ２２に対応する位置に形成されている雌ネジ３１とを螺合させて２部材を嵌合する。これにより挿入部分２０の外周面に塗布された接着剤により被挿入孔３０の内周面と接着固定されビリヤード用キューのバット１が形成される。このバット１の外表面を形成し、先端部にシャフトとの接続部であるジョイント部１０を設け、後部分２の後端部にバットエンド部１１を設ける。
【産業上の利用可能性】
【００２６】
ビリヤード用キューとして、年月を経て曲がりや狂いが生じないため、初心者から上級者までの利用が期待される。  
【図面の簡単な説明】
【００２７】
【図１】この発明の１つの実施形態を示すビリヤード用キューのバットの一方の部材の正面説明図
【図２】同じく他方の部材の正面説明図
【図３】同じく一方の部材と他方の部材を組み合わせた状態の正面説明図
【図４】同じくジョイント部等を設けたビリヤード用キューのバットの完成正面図
【図５】同じくビリヤード用キューのバットの一方の部材の本体部分に設ける芯材を斜め後方から見た説明図
【図６】同じくビリヤード用キューのバットの一方の部材の本体部分に設ける芯材を斜め後方から見た説明図
【図７】同じくビリヤード用キューのバットの一方の部材の本体部分に設ける芯材を斜め後方から見た説明図
【符号の説明】
【００２８】
１  バット  
１０  ジョイント部
１１  バットエンド部
２  一方の部材（この実施形態では後部分）
２０  本体部分
２００  外層部材
２１  挿入部分
２２  雄ネジ
３  他方の部材（この実施形態では先部分）
３０  被挿入孔
３１  雌ネジ
３２  開口
４  芯材
【図１】
2007209393.tif 000003
【図２】
2007209393.tif 000004
【図３】
2007209393.tif 000005
【図４】
2007209393.tif 000006
【図５】
2007209393.tif 000007
【図６】
2007209393.tif 000008
【図７】
2007209393.tif 000009